(57)【要約】      （修正有）【課題】主に人間または動物に対して傷口治療を行うように応用されるマイクロプラズマ生成装置を誘発端とする温度に比べ、人間または動物の傷口への殺菌治療許容範囲により適用されるハンドヘルド型コールドプラズマ発生器を提供する。【解決手段】気体入力ユニット１により所定の少なくとも１種またはそれ以上の気体を気体混合ユニット２に導入し、この混合気体または単一気体を同軸ケーブル３を介してコールドプラズマ発生器５に導入させ、前記コールドプラズマ発生器は、金属外装ケース５１と金属外装ケースの中に形成される中空キャビティ５２と中空キャビティ５２の内部に貫通する電極とを有し、前記電極の一端は、同軸ケーブル３の正極を電源供給器４に合わせる。【選択図】図１
0003222023.tif 000002
【実用新案登録請求の範囲】
【請求項１】
人間または動物に対して傷口治療、即ち、殺菌を行うように応用されるマイクロプラズマ生成装置を励起端とする温度に比べ、人間または動物の傷口への殺菌治療許容範囲により適用されるハンドヘルド型コールドプラズマ発生器であって、
前記ハンドヘルド型コールドプラズマ発生器は、
少なくとも１本または複数本以上の気体筒を用いて個別に所定のプラズマ反応性ガスを装填する気体入力ユニットと、
前記気体入力ユニットから導入される混合気体または単一気体の集中区域とする気体混合ユニットと、
気体管路を介して導入される前記混合気体または単一気体を誘発させて低め温度のプラズマを生成するコールドプラズマ発生器と、
前記コールドプラズマ発生器に合わせて前記コールドプラズマ発生器の内部の前記混合気体または単一気体を誘発させて低め温度のプラズマを生成するように、電源を供給する電源供給器と、
前記電源供給器からの電源を前記コールドプラズマ発生器内の金属外装ケースと電極とに伝達するための同軸ケーブルとを備え、
前記コールドプラズマ発生器は、手部で握持しやすい前記金属外装ケースと、前記金属外装ケースの中に形成される中空キャビティと、前記中空キャビティの内部に容易に貫通する前記電極とを有し、前記電極の一端は、前記電源供給器に合わせて前記コールドプラズマ発生器の中の前記中空キャビティ内に導入される前記混合気体または単一気体に対して誘発を経由して低め温度のプラズマを生成させ、これにより、人間または動物に対して治療を行う時、事前に麻酔を施す必要なしに、傷口への殺菌応用が図られることを特徴とする、ハンドヘルド型コールドプラズマ発生器。
【請求項２】
前記ハンドヘルド型コールドプラズマ発生器が備える前記電源供給器として、周波数を５００Ｋｈｚ〜２.５Ｍｈｚとし、電圧を１ｋＶ〜６ｋＶとし、仕事率を０〜２０Ｗとするものを採用することを特徴とする、請求項１に記載のハンドヘルド型コールドプラズマ発生器。
【請求項３】
前記ハンドヘルド型コールドプラズマ発生器が備える前記電極の一端が前記同軸ケーブルに連結され、前記電極の材質は、アルミニウム、銅、白金、白銑、金及び金属に分類される材質のうちのいずれか１つから選択され、前記同軸ケーブルの一端の入力コネクトは、同軸コネクタ及び高圧コネクタのうちのいずれか１つを含むことを特徴とする、請求項１に記載のハンドヘルド型コールドプラズマ発生器。
【請求項４】
前記ハンドヘルド型コールドプラズマ発生器が備える前記金属外装ケースは、内部に貫通された前記電極の一端を介して前記同軸ケーブルと連結を行い、前記金属外装ケースの材質を、アルミニウム、銅、白金、白銑、金及び金属に分類される材質のうちのいずれか１つとして実施することを特徴とする、請求項１に記載のハンドヘルド型コールドプラズマ発生器。
【請求項５】
前記ハンドヘルド型コールドプラズマ発生器が備える前記金属外装ケースの内部に前記電極が貫通され、前記金属外装ケースの中の前記中空キャビティの内部が絶縁材料で被覆されており、前記絶縁材料の材質を、ガラス、テフロン（登録商標）、管状石英、プラスチック、ナイロン、ゴム及び非導電性に分類される材質のうちのいずれか１つとして実施することを特徴とする、請求項１に記載のハンドヘルド型コールドプラズマ発生器。
【請求項６】
前記ハンドヘルド型コールドプラズマ発生器が備える前記コールドプラズマ発生器は、外周全長を３〜３０ｍｍとし、長さを５０〜３００ｍｍとして実施することを特徴とする、請求項１に記載のハンドヘルド型コールドプラズマ発生器。
【請求項７】
前記ハンドヘルド型コールドプラズマ発生器が備える前記電極は、外径を１〜１０ｍｍとし、長さを１０〜３００ｍｍとして実施することを特徴とする、請求項１に記載のハンドヘルド型コールドプラズマ発生器。
【考案の詳細な説明】
【技術分野】
【０００１】
本考案は、主に人間または動物に対して傷口治療（即ち、殺菌）を行うように応用されるマイクロプラズマ生成装置を誘発端とする温度に比べ、人間または動物の傷口への殺菌治療許容範囲により適用されるハンドヘルド型コールドプラズマ発生器を提供し、つまり、誘発されたプラズマを出口端までに導く際に、その温度が冷ため状態を呈することで、別途麻酔を施す必要なしに人間または動物に対して傷口への殺菌を行いやすくなり、即ち、直接に所定のプラズマによる傷口への治療を行うことができる。
【背景技術】
【０００２】
従来、一般的に用いられる各種の用途（例えば、医療器材または傷口治療など）ごとの殺菌処理は、通常、温度が高すぎると、要殺菌物（または動物の皮膚）に対する破壊または損傷をもたらすことを考慮に入れなければならない。このため、当業者は、この点を考慮に入れれば、その後、殺菌処理を行うように低温低圧のプラズマがその代わりとして採用され、つまり、５０℃より低い電波エネルギーを運用する場合、環境を破壊しない殺菌処理が行われ、また、この種の殺菌処理は、確実に外界に露出している要殺菌物に対して有効な滅菌を図ることができるものの、全ての要殺菌物が外界に露出しているとは限らず、物体の隙間に隠れているものもある。したがって、関連分野に携わっている者は、この問題についてさらなる具体的な解決策を求め、その内、このような解決手法は相当に多く提案され、ここで、関連分野における当業者が提出した任意形態の要殺菌物に対して有効な滅菌を行える処理装置が開示された台湾特許番号第Ｉ４３２２２８号に記載の「マイクロプラズマ生成装置及びその滅菌システム」の発明のように、このマイクロプラズマ生成装置は、毛細管式中空内電極を採用するもので、反応気体とプラズマ励起気体とを分流供給し、プラズマを生成するために高ワットの電力を使用する必要がなく、かつサイズをペンサイズのような小型までに縮小するので、便利に操作でき、かつエネルギー消費が低い特性、常温での動作が可能な特性や有害物質を生成しない特性が得られることから、使用安全性を向上させながら、グリーン環境保全のすう勢に合致したものである。
【０００３】
而して、上記のようなマイクロプラズマ生成装置の中の電極は中空形態を採用することで、マイクロプラズマ生成ユニットは、末梢までに沿って流れる電極の中の混合気体に対してプラズマ励起を行うので、生成されたプラズマの量にかなり限界があり、かつこの電極末消が放電状態となった時にその温度が相対的に高くなり、つまり、管体末端に励起されたプラズマの温度が高めであることから、このような高めのプラズマの温度は、人間または動物に対して傷口治療（即ち、殺菌）を行う場合において到底許容できないため、麻酔状態でないと実行できない。
【先行技術文献】
【特許文献】
【０００４】
【特許文献１】台湾特許第Ｉ４３２２２８号明細書
【考案の概要】
【考案が解決しようとする課題】
【０００５】
このような原因に基づいて、本考案者は、ここで人間または動物に対して傷口治療（即ち、殺菌）を行うように応用されるマイクロプラズマ生成装置を励起端とする温度に比べ、人間または動物の傷口への殺菌治療許容範囲により適用されるものを開発し、つまり、励起されたプラズマを出口端までに導く際に、その温度が冷ため状態を呈することで、別途麻酔を施す必要なしに人間または動物に対して傷口への殺菌を行いやすくなり、即ち、直接に所定のプラズマによる傷口への治療を行うことができる。
【課題を解決するための手段】
【０００６】
本考案の主要な目的は、人間または動物に対して傷口治療（即ち、殺菌）を行って細胞再生を生じるように応用されるマイクロプラズマ生成装置を励起端とする温度に比べ、人間または動物の傷口への殺菌治療許容範囲により適用され、このハンドヘルド型コールドプラズマ発生器は、少なくとも１本または複数本以上の気体筒を用いて個別に所定のプラズマ反応性ガスを装填する気体入力ユニットと、前述した気体入力ユニットから導入される混合気体または単一気体の集中区域とする気体混合ユニットと、電源供給器からの正負極電源をコールドプラズマ発生器に案内するための同軸ケーブルと、気体管路を介して導入されるコールドプラズマ発生器の内部の後述に言及される混合気体または単一気体を誘発させて低め温度のプラズマを生成するように、電源を供給する電源供給器と、前述した導入の混合気体または単一気体を電源供給器に合わせて誘発させて低め温度のプラズマを生成するコールドプラズマ発生器とを備え、その内、このコールドプラズマ発生器は、手部で握持しやすい金属外装ケースと、金属外装ケースの中に形成される中空キャビティと、中空キャビティの内部に容易に貫通する電極とを有し、前記電極の一端は、前述した同軸ケーブルの電源供給器に合わせて、前記コールドプラズマ発生器の中の中空キャビティ内に導入される混合気体または単一気体に対して誘発を経由して低め温度のプラズマを生成させ、これにより、人間または動物に対して治療を行う時、事前に麻酔を施す必要なしに、傷口への殺菌応用が図られる。
【０００７】
本考案の第２目的は、ハンドヘルド型コールドプラズマ発生器が備える電源供給器として、周波数を５００Ｋｈｚ〜２.５Ｍｈｚとし、電圧を１ｋＶ~６ｋＶとし、仕事率を０〜２０Ｗとするものを採用する。
【０００８】
本考案の第３目的は、ハンドヘルド型コールドプラズマ発生器が備える電極の一端が同軸ケーブルの正極に連結され、前述した電極の材質は、アルミニウム、銅、白金、白銑、金及び金属に分類される材質のうちのいずれか１つから選択され、前記同軸ケーブルの一端の入力コネクトは、同軸コネクタ及び高圧コネクタのうちのいずれか１つを含む。
【０００９】
本考案の第４目的は、ハンドヘルド型コールドプラズマ発生器が備える金属外装ケースは、内部に貫通された電極を介して同軸ケーブルの負極と連結を行い、この金属外装ケースの材質を、アルミニウム、銅、白金、白銑、金及び金属に分類される材質のうちのいずれか１つとして実施する。
【００１０】
本考案の第５目的は、ハンドヘルド型コールドプラズマ発生器が備える金属外装ケースは、内部に貫通された電極を介して同軸ケーブルの負極と連結を行い、金属外装ケースの中の中空キャビティの内部が絶縁材料で被覆されており、この絶縁材料の材質を、ガラス、テフロン（登録商標）、管状石英、プラスチック、ナイロン、ゴム、シリコーン及び非導電性に分類される材質のうちのいずれか１つとして実施する。
【００１１】
本考案の第６目的は、ハンドヘルド型コールドプラズマ発生器が備えるコールドプラズマ発生器は、外周全長を３〜３０ｍｍとし、長さを５０〜３００ｍｍとして実施する。
【００１２】
本考案の第７目的は、ハンドヘルド型コールドプラズマ発生器が備える電極は、外径を１〜１０ｍｍとし、長さを１０〜３００ｍｍとして実施する。
【考案の効果】
【００１３】
本考案は、各種の用途（例えば、医療器材または傷口治療など）に従って殺菌処理を行うために用いられるマイクロプラズマ生成装置は、実施に際して励起端の温度がやや高めになりやすいため、人間または動物の傷口への殺菌治療の受け入れ可能な範囲に適用不能になる問題に対して改善がなされ、気体入力ユニットにより所定の少なくとも１種またはそれ以上の気体を気体混合ユニットに導入し、この混合気体または単一気体を気体管路を介してコールドプラズマ発生器に導入させ、また、前記コールドプラズマ発生器は、金属外装ケースと、金属外装ケースの中に形成される中空キャビティと、中空キャビティの内部に貫通する電極とを有し、前記電極の一端は、同軸ケーブルの正極を電源供給器に合わせることによって、同軸ケーブルの負極に連結される金属外装ケースを経由して気体を誘発させて低め温度のプラズマを生成することができ、このようにして人間または動物に対して治療を行う時、事前に麻酔を施す必要なしに、傷口への殺菌応用が図られるように期待がされている。
【図面の簡単な説明】
【００１４】
【図１】本考案のハンドヘルド型コールドプラズマ発生器を示すプロセス模式図である。
【考案を実施するための形態】
【００１５】
本考案が設計したハンドヘルド型コールドプラズマ発生器（図１参照）は、主に人間または動物に対して傷口治療（即ち、殺菌）を行って細胞再生を生じるように応用されるマイクロプラズマ生成装置を励起端とする温度に比べ、人間または動物の傷口への殺菌治療許容範囲により適用されるハンドヘルド型コールドプラズマ発生器は、ここでは、少なくとも１本または複数本以上の気体筒１１を用いて個別に所定の反応性ガスを装填する気体入力ユニット１と、前述した気体ユニット１から導入される混合気体または単一気体の集中区域とする気体混合ユニット２と、電源をコールドプラズマ発生器５の電極５３と金属外装ケース５１とに伝達するための同軸ケーブル３と、前述した同軸ケーブル３の電源と気体管路２１内の気体とを後述に言及されるコールドプラズマ発生器５の内部に導入して気体を誘発させて低め温度のプラズマを生成するように、電源を供給する電源供給器４と、気体管路２１に導入される前記気体を電源供給器４に合わせて誘発させて低め温度のプラズマを生成するコールドプラズマ発生器５とを備え、その内、このコールドプラズマ発生器５は、手部で握持しやすい金属外装ケース５１と、金属外装ケース５１の中に形成される中空キャビティ５２と、中空キャビティ５２の内部に容易に貫通する電極５３と、絶縁材料５４とを有し、前記電極５３の一端は、前述した電源供給器４に合わせて前記コールドプラズマ発生器５の中の中空キャビティ５２内に導入される気体に対して誘発を経由して低め温度のプラズマを生成させ、これにより、人間または動物に対して治療を行う時、事前に麻酔を施す必要なしに、傷口への殺菌応用が図られる。
【００１６】
前記ハンドヘルド型コールドプラズマ発生器が備える電源供給器４として、周波数を５００Ｋｈｚ〜２.５Ｍｈｚとし、電圧を１ｋＶ〜６ｋＶとし、仕事率を０〜２０Ｗとするものを採用する。
【００１７】
前記ハンドヘルド型コールドプラズマ発生器が備える電極５３の一端が同軸ケーブル３に連結され、前述した電極５３の材質は、アルミニウム、銅、白金、白銑、金及び金属に分類される材質のうちのいずれか１つから選択され、同軸ケーブル３の一端の入力コネクトは、同軸コネクタ及び高圧コネクタのうちのいずれか１つを含む。
【００１８】
前記ハンドヘルド型コールドプラズマ発生器が備える金属外装ケース５１は、内部に貫通された電極５３の一端を介して同軸ケーブル３と連結を行い、この金属外装ケース５１の材質を、アルミニウム、銅、白金、白銑、金及び金属に分類される材質のうちのいずれか１つとして実施する。
【００１９】
前記ハンドヘルド型コールドプラズマ発生器が備える金属外装ケース５１の内部に電極５３が貫通され、金属外装ケース５１の中の中空キャビティ５２の内部が絶縁材料５４で被覆されており、この絶縁材料５４の材質を、ガラス、テフロン（登録商標）、管状石英、プラスチック、ナイロン、ゴム、シリコーン及び非導電性に分類される材質のうちのいずれか１つとして実施する。その目的は、コールドプラズマ発生器５内の金属外装ケース５１と電極５３との絶縁を保つためである。
【００２０】
前記ハンドヘルド型コールドプラズマ発生器が備えるコールドプラズマ発生器５は、棒部分外周全長を３〜３０ｍｍとし、長さを５０〜３００ｍｍとして実施する。
【００２１】
前記ハンドヘルド型コールドプラズマ発生器が備える電極５３は、外径を１〜１０ｍｍとし、長さを１０〜３００ｍｍとして実施する。
【符号の説明】
【００２２】
１         気体入力ユニット
１１       気体筒
２         気体混合ユニット
２１       気体管路
３         同軸ケーブル
４         電源供給器
５         コールドプラズマ発生器
５１       金属外装ケース
５２       キャビティ
５３       電極
５４       絶縁材料
【図１】
0003222023.tif 000003